(57)【特許請求の範囲】
【請求項１】
平面形状がＬ字状となる位置に電線が圧接される電線接続部とこの電線接続部に連なりかつ他の端子金具と接続するための電気接触部とが配された圧接端子を、それぞれ装着し、かつ複数が積層されるプレート状絶縁体において、
ぞれぞれ前記圧接端子に圧接された電線を収容するとともに互いに並設された複数の電線収容溝と、
前記電線収容溝の一端部に設けられかつ第１の外径を有する第１の電線と、前記第１の外径より小さい第２の外径を有する第２の電線と、の双方を保持可能な電線保持部と、
を備え、
電線保持部は、前記第１の電線を保持可能な第１の保持部と、前記第２の電線を保持可能な第２の保持部と、を有し、
前記第１の保持部は、前記電線収容溝内に収容される電線に交差する方向に沿って相対し、かつ相互間が前記第１の電線の外径に応じた間隔であるとともに、互いの間に前記第１の電線を狭持する一対の第１狭持片を有し、
前記第２の保持部は、前記電線収容溝内に収容される電線に交差する方向に沿って相対し、かつ相互間が前記第２の電線の外径に応じた間隔であるとともに、互いの間に前記第２の電線を狭持する一対の第２狭持片を有し、かつ、
前記電線収容溝それぞれの一端部に、前記第１の保持部と前記第２の保持部とが設けられているとともに、
前記第１の保持部と第２の保持部とは、前記電線収容溝が収容する電線に沿って互いに並設され、かつ、前記第２の保持部は、前記第１の保持部よりも前記電線収容溝の端寄りに配置されていることを特徴とするプレート状絶縁体。
【発明の詳細な説明】
【０００１】
【発明の属する技術分野】
本発明は、平面形状がＬ字状の圧接端子を装着し、かつ複数枚が積層されるプレート状絶縁体に関する。
【０００２】
【従来の技術】
自動車などに装備されるワイヤハーネスは、電子機器の機能毎などに分けられた複数のサブハーネスとして一旦構成され、これらのサブハーネスを互いに組み付けられて得られるようになっている。このため、前記サブハーネス間の電線相互の接続が煩雑となり、組立時の作業性が悪化する傾向となり最悪の場合には品質が安定しない恐れも生じてきた。
【０００３】
このため、前述した電線相互の接続を容易とするために、プレート状絶縁体と、このプレート状絶縁体に装着される圧接端子とを用い、前記プレート状絶縁体を複数枚積層して得られるプレートコネクタが提案されている。
【０００４】
圧接端子は、導電性を有する板金などを折り曲げるなどして形成されている。圧接端子は、電線と接続する電線接続部と、前記電線接続部に連なりかつ筒状の電気接触部と、を備えている。電線接続部は、電線と圧接しかつ互いに相対する対の圧接刃を備えている。電気接触部は、筒状に形成されている。電気接触部は、内側に帯状の接続バーが侵入可能である。圧接端子は、電線接続部と、電気接触部とが、平面形状がＬ字状となるように配置されている。
【０００５】
プレート状絶縁体は、絶縁性を有する合成樹脂からなり、平面形状が矩形状の平板状に形成されている。プレート状絶縁体は、電線を収容する電線収容溝を複数備えている。電線収容溝は、互いに平行に配されている。
【０００６】
プレート状絶縁体は、圧接端子を、前記電線収容溝の長手方向と、これらの電線収容溝が互いに並設する方向との二方向に沿って並べる。即ち、プレート状絶縁体は、圧接端子を、二次元のマトリックス状に配置する。圧接端子が二次元のマトリックス状に配置されたプレート状絶縁体を複数枚積層し、互いに重なる電気接触部のうち所望の電気接触部内に接続バーを挿入して、プレートコネクタが得られる。
【０００７】
このように、前記プレートコネクタは、電線と圧接する圧接端子を、プレート状絶縁体の底壁の所望の位置に配し、かつ所望の電気接触部内に接続バーを挿入することによって、前記電線などを予め定められるパターンにしたがって、相互に接続する。
【０００８】
【発明が解決しようとする課題】
前述したプレート状絶縁体は、前記電線相互の電気的な接続を確保するために、圧接端子に圧接された電線を保持する必要があった。また、前記ワイヤーハーネスには、種々の電線が用いられるために、前記プレート状絶縁体は、これらの外径の異なる電線を保持することが望まれている。さらに、前記プレート状絶縁体は、大型化することが望まれていないのは、勿論である。
【０００９】
したがって、本発明の目的は、平面形状がＬ字状の圧接端子に圧接される互いに外径の異なる複数種の電線を確実に保持できるとともに大型化を抑制できるプレート状絶縁体を提供することにある。
【００１０】
【課題を解決するための手段】
前記課題を解決し目的を達成するために、請求項１に記載の本発明のプレート状絶縁体は、平面形状がＬ字状となる位置に電線が圧接される電線接続部と前記電線接続部に連なりかつ他の端子金具と接続するための電気接触部とが配された圧接端子を、それぞれ装着し、かつ複数が積層されるプレート状絶縁体において、ぞれぞれ前記圧接端子に圧接された電線を収容するとともに互いに並設された複数の電線収容溝と、前記電線収容溝の一端部に設けられかつ第１の外径を有する第１の電線と、前記第１の外径より小さい第２の外径を有する第２の電線と、の双方を保持可能な電線保持部と、を備え、電線保持部は、前記第１の電線を保持可能な第１の保持部と、前記第２の電線を保持可能な第２の保持部と、を有し、前記第１の保持部は、前記電線収容溝内に収容される電線に交差する方向に沿って相対し、かつ相互間が前記第１の電線の外径に応じた間隔であるとともに、互いの間に前記第１の電線を狭持する一対の第１狭持片を有し、前記第２の保持部は、前記電線収容溝内に収容される電線に交差する方向に沿って相対し、かつ相互間が前記第２の電線の外径に応じた間隔であるとともに、互いの間に前記第２の電線を狭持する一対の第２狭持片を有し、かつ、前記電線収容溝それぞれの一端部に、前記第１の保持部と前記第２の保持部とが設けられているとともに、前記第１の保持部と第２の保持部とは、前記電線収容溝が収容する電線に沿って互いに並設され、かつ、前記第２の保持部は、前記第１の保持部よりも前記電線収容溝の端寄りに配置されていることを特徴としている。
【００１３】
本発明は、電線保持部が、第１の外径を有する第１の電線と、第２の外径を有する第２の電線と、の双方を保持可能である。また、電線保持部が、電線収容溝の一端部に設けられている。
【００１４】
本発明は、第１の保持部と第２の保持部とが、それぞれ、電線収容溝内に収容される電線が沿う方向に対し交差する方向に沿って相対し、かつ互いの間に第１及び第２の電線を狭持する第１狭持片及び第２狭持片を、備えている。
【００１５】
本発明によれば、第１の保持部と第２の保持部とが、電線収容溝の一端部に、該電線収容溝に収容される電線に沿って、並設されている。
【００１６】
【発明の実施の形態】
以下、本発明の一実施形態にかかるプレート状絶縁体としての圧接プレート６０を、図１ないし図１０を参照して説明する。図１に示す本発明の一実施形態にかかるプレート状絶縁体としての圧接プレート６０は、図４などに示す圧接端子としてのＪＢ（Junction Block）用圧接端子５０が装着されて、図２に示すように複数が積層されて、図３に示すプレートコネクタとしての積層プレートコネクタ１を構成する。
【００１７】
なお、前記ＪＢ用圧接端子５０は、電線４（図１などに示す）を圧接する。積層プレートコネクタ１は、前記ＪＢ用圧接端子５０に圧接された電線４を、予め定められるパターンにしたがって互いに電気的に接続する。
【００１８】
ＪＢ用圧接端子５０は、導電性の板金などを折り曲げるなどして形成されている。ＪＢ用圧接端子５０は、図４に示すように、電線接続部５１と、電気接触部５２と、複数の係止片５８と、を備えている。電線接続部５１は、電線４が載置される平坦な載置壁５５ａと、一対の側壁５５ｂと、かしめ片５３と、圧接部５１ａと、を備えている。
【００１９】
載置壁５５ａは、帯板状に形成されている。一対の側壁５５ｂは、それぞれ帯板状に形成されている。一対の側壁５５ｂは、幅方向に沿って間隔を存する載置壁５５ａの両縁に連なっている。一対の側壁５５ｂは、それぞれ載置壁５５ａに立設している。
【００２０】
かしめ片５３は、載置壁５５ａに立設しかつ連なっている。かしめ片５３は、載置壁５５ａに被さるように曲げられることにより、載置壁５５ａとの間に電線４を挟んで保持する。即ち、かしめ片５３は、電線４を載置壁５５ａにかしめる。
【００２１】
圧接部５１ａは、互いに対向する二対の圧接刃５４ａ，５４ｂを備えている。圧接刃５４ａ，５４ｂは、載置壁５５ａに立設している。圧接刃５４ａ，５４ｂは、側壁５５ｂの内面からこれら一対の側壁５５ｂが互いに近づく方向に突出している。
【００２２】
圧接刃５４ａ，５４ｂは、互いの間に電線４を圧入することにより、電線４の被覆部５（図８または図１０に示す）を切り込んで芯線６（図８または図１０に示す）に接触して、前記電線４と電気的に接続する。即ち、電線４と圧接する。なお、圧接刃５４ａ，５４ｂ間には、図１中の矢印Ｓに沿って、電線４が圧入される。なお、前記矢印Ｓは、載置壁５５ａに近づく方向であり、載置壁５５ａの表面に直交している。
【００２３】
電気接触部５２は、載置壁５５ａの幅方向の一方の縁に連なっている。即ち、電気接触部５２は、電線接続部５１と連なっている。電気接触部５２と電線接続部５１とは、ＪＢ用圧接端子５０の平面形状がＬ字状となる位置に配されている。電気接触部５２は、電線接続部５１に対し、載置壁５５ａに載置される電線４の長手方向から屈曲した位置に配されている。
【００２４】
電気接触部５２は、角筒状に形成されている。電気接触部５２は、その筒孔が圧接プレート６０の図示しない連通孔に連通するように配される。電気接触部５２の筒孔内には、挿入子としての図５などに示す接続バー８０が挿入される。この接続バー８０は、導電性の金属などからなりかつ帯板状に形成されている。電気接触部５２の筒孔内には、接続ばね片５７が設けられている。接続ばね片５７は、接続バー８０と電気接触部５２とを電気的に接続する。
【００２５】
電気接触部５２は、圧接プレート６０が互いに積層された際に、筒孔内に接続バー８０が挿入されることによって、互いに重なるＪＢ用圧接端子５０同士を電気的に接続する。こうして、電気接触部５２は、他の端子金具としての他のＪＢ用圧接端子と接続する。
【００２６】
係止片５８は、側壁５５ｂの一部が切り欠かれて形成されている。係止片５８は、側壁５５ｂそれぞれに設けられている。それぞれの係止片５８は、一端部が側壁５５ｂに連なり、かつ他端部が側壁５５ｂから離れている。それぞれの係止片５８は、特に前記他端部が側壁５５ｂの外面から外方向に突出している。
【００２７】
係止片５８は、図４に示すように、前記一端部から他端部に向かうにしたがって、徐々に側壁５５ｂの外面から離れるように傾斜している。係止片５８は、ＪＢ用圧接端子５０が圧接プレート６０に装着された際に、前記他端部が後述する隔壁６３ｂの内面に係止可能である。
【００２８】
ＪＢ用圧接端子５０は、電線接続部５１が圧接プレート６０の後述する電線収容溝６１の溝本体６１ａ内に収容され、かつ電気接触部５２が電線収容溝６１の後述する収容部６４内に収容される。ＪＢ用圧接端子５０は、他端部間の間隔が狭くなる方向に係止片５８が押圧されて、溝本体６１ａ及び収容部６４内に圧入される。ＪＢ用圧接端子５０は、溝本体６１ａ及び収容部６４内に圧入されることで、圧接プレート６０に収容される（又は保持されるともいい、又は装着されるともいう。）。
【００２９】
圧接プレート６０は、絶縁性の合成樹脂などからなり、プレート状即ち平板状に形成されている。圧接プレート６０は、図１ないし図３に示すように、矩形状のプレート本体６２と、複数の電線収容溝６１と、図示しない連通孔と、電線保持部７０と、を備えている。プレート本体６２は、ほぼ平坦な底壁６３ａと、奥壁６５と、一対の側壁６７と、底壁６３ａから立設した複数の隔壁６３ｂと、フランジ部６８と、を備えている。
【００３０】
奥壁６５は、底壁６３ａの図中奥側に位置する一つの縁部に連なっている。奥壁６５は、底壁６３ａに立設している。一対の側壁６７は、底壁６３ａの互いに相対する一対の縁部と前記奥壁６５とに連なっている。一対の側壁６７は、底壁６３ａに立設している。一対の側壁６７は、互いに平行である。
【００３１】
隔壁６３ｂは、互いに平行でかつ間隔を存している。隔壁６３ｂは、それぞれ一対の側壁６７と平行である。隔壁６３ｂは、それぞれプレート本体６２の長手方向に沿っている。
【００３２】
フランジ部６８は、前記底壁６３ａの縁部からプレート本体６２の外方向に突出している。フランジ部６８は、奥壁６５及び側壁６７の外表面から外方向に突出している。フランジ部６８は、底壁６３ａの全周に亘って設けられている。フランジ部６８は、底壁６３ａ即ちプレート本体６２の剛性を向上させて、底壁６３ａ即ちプレート本体６２が湾曲することを防止する。
【００３３】
電線収容溝６１は、隣り合う一対の隔壁６３ｂと底壁６３ａとで囲まれて形成されている。電線収容溝６１は、プレート本体６２の幅方向に沿って、即ち、前記側壁６７が互いに相対する方向に沿って、並設されている。電線収容溝６１は、互いに平行である。電線収容溝６１は、プレート本体６２の長手方向に沿って延びている。即ち、電線収容溝６１は、奥壁６５に接離する方向に沿って延びている。電線収容溝６１は、電線４とＪＢ用圧接端子５０とを収容可能である。
【００３４】
電線収容溝６１は、図１などに示すように、溝本体６１ａと、収容部６４とを備えている。溝本体６１ａは、隣り合う隔壁６３ｂの内面と、底壁６３ａの表面とで、形成されている。溝本体６１ａは、前記側壁６７及び隔壁６３ｂに沿って延在している。溝本体６１ａは、ＪＢ用圧接端子５０の電線接続部５１を収容する。
【００３５】
収容部６４は、隣り合う一対の隔壁６３ｂの間隔を拡げるように、前記隔壁６３ｂから凹に形成されている。収容部６４は、一つの電線収容溝６１を形成する隣り合う一対の隔壁６３ｂそれぞれに設けられている。収容部６４は、溝本体６１ａの長手方向に沿って、一方の隔壁６３ｂと他方の隔壁６３ｂとに、交互に設けられている。
【００３６】
こうして、収容部６４は、電線収容溝６１の溝本体６１ａの長手方向に沿って複数並設されている。収容部６４は、ＪＢ用圧接端子５０の電気接触部５２を収容する。連通孔は、収容部６４に一つずつ設けられている。連通孔は、それぞれプレート本体６２の底壁６３ａを貫通している。
【００３７】
電線保持部７０は、図１及び図６に示すように、電線収容溝６１の奥壁６５寄りの一端部６１ｂに設けられている。電線保持部７０は、第１の保持部７１と、第２の保持部７２と、を備えている。第１の保持部７１は、第１の外径Ｒ１（図７に示す）を有する比較的太い電線４（以下第１の電線４ａと呼ぶ）を保持する。第１の保持部７１は、図６ないし図８に示すように、一対の第１狭持片７１ａ，７１ｂを備えている。
【００３８】
第１の狭持片７１ａ，７１ｂは、電線収容溝６１内に収容された第１の電線４ａに交差する方向に沿って、互いに相対している。なお、図示例では、第１の狭持片７１ａ，７１ｂは、第１の電線４ａに直交する方向に沿って、互いに相対している。
【００３９】
第１の狭持片７１ａ，７１ｂは、それぞれ、一つの電線収容溝６１を形成する隣り合う隔壁６３ｂの内面から、該電線収容溝６１の幅を狭くするように、電線収容溝６１の内方向に突出している。第１の狭持片７１ａ，７１ｂ相互間の間隔Ｄ１（図６ないし図８に示す）は、第１の電線４ａの外径Ｒ１より若干小さくなっている。こうして、第１の狭持片７１ａ，７１ｂ相互間は、第１の電線４ａの外径Ｒ１に応じた間隔Ｄ１となっている。
【００４０】
第１の狭持片７１ａ，７１ｂは、図７及び図８に示すように、互いに間に第１の電線４ａを挟み込んで、該第１の電線４ａが電線収容溝６１内から抜け出ることを防止する。即ち、第１の狭持片７１ａ，７１ｂは、互いに間に第１の電線４ａを狭持する。
【００４１】
第２の保持部７２は、第１の外径Ｒ１と異なりかつ該第１の外径Ｒ１より小さい第２の外径Ｒ２（図９に示す）を有する比較的細い電線４（以下第２の電線４ｂと呼ぶ）を保持する。第２の保持部７２は、図６、図９及び図１０に示すように、一対の第２狭持片７２ａ，７２ｂを備えている。
【００４２】
第２の狭持片７２ａ，７２ｂは、電線収容溝６１内に収容された第２の電線４ｂに交差する方向に沿って、互いに相対している。なお、図示例では、第２の狭持片７２ａ，７２ｂは、第２の電線４ｂに直交する方向に沿って互いに相対している。
【００４３】
第２の狭持片７２ａ，７２ｂは、それぞれ、一つの電線収容溝６１を形成する隣り合う隔壁６３ｂの内面から、該電線収容溝６１の幅を狭くするように、電線収容溝６１の内方向に突出している。第２の狭持片７２ａ，７２ｂ相互間の間隔Ｄ２（図６、図９及び図１０に示す）は、第２の電線４ｂの外径Ｒ２より若干小さくなっている。こうして、第２の狭持片７２ａ，７２ｂ相互間は、第２の電線４ｂの外径Ｒ２に応じた間隔Ｄ２となっている。
【００４４】
第２の狭持片７２ａ，７２ｂは、図９及び図１０に示すように、互いに間に第２の電線４ｂを挟み込んで、該第２の電線４ｂが電線収容溝６１内から抜け出ることを防止する。即ち、第２の狭持片７２ａ，７２ｂは、互いに間に第２の電線４ｂを狭持する。
【００４５】
前記電線保持部７０は、第１の保持部７１と第２の保持部７２とを、電線収容溝６１内に収容される電線４，４ａ，４ｂに沿って並設している。電線保持部７０は、第１の保持部７１を、第２の保持部７２より奥壁６５から離している。
【００４６】
また、前記圧接プレート６０は、係止突起６６と図示しない係止受け突起とをそれぞれ複数備えている。これらの係止突起６６と係止受け突起とは互いに係止する。前述した積層プレートコネクタ１を構成する際に、これらの係止突起６６と係止受け突起とが互いに係止して、圧接プレート６０が互いに固定する。
【００４７】
前記圧接プレート６０は、ＪＢ用圧接端子５０を、前記電線収容溝６１の溝本体６１ａの長手方向と、これらの電線収容溝６１が並設する方向と、の二方向に沿って前記底壁６３ａ上に並べる。即ち、前記圧接プレート６０は、ＪＢ用圧接端子５０を、底壁６３ａ上に二次元のマトリックス状に配置する。
【００４８】
前記積層プレートコネクタ１を組み立てる際には、まず、圧接プレート６０に、ＪＢ用圧接端子５０を装着する。このとき、ＪＢ用圧接端子５０を、前記矢印Ｓに沿って、底壁６３ａに近づけて、プレート本体６２に装着する。係止片５８が隔壁６３ｂの内面に係止して、ＪＢ用圧接端子５０は、電線収容溝６１内に収容されて、圧接プレート６０に固定される。
【００４９】
そして、溝本体６１ａ及び収容部６４内に収容されたＪＢ用圧接端子５０に、電線４を圧接する。このとき、電線４を、前記矢印Ｓに沿って、電線接続部５１の圧接刃５４ａ，５４ｂ間に圧入する。この状態で、圧接プレート６０は、図２に示すように、プレート本体６２が互いに平行でかつ間隔を存して積層される。そして、圧接プレート６０は、互いに近づけられて、係止突起６６と係止受け突起とが互いに係止して固定される。圧接プレート６０は、所定の連通孔及び電気接触部５２内に接続バー８０が挿入されて、図３に示すように、積層プレートコネクタ１を構成する。
【００５０】
積層プレートコネクタ１は、ＪＢ用圧接端子５０を底壁６３ａ上に配置する位置及び接続バー８０を挿入する位置を選択することによって、ＪＢ用圧接端子５０に圧接される電線４を、予め定められるパターンにしたがって接続する。また、前記積層プレートコネクタ１は、例えばリレー、ヒューズなどを装着する電気接続箱内に収容されて、前記電線４と前述したリレーやヒューズなどとを、予め定められるパターンにしたがって接続する。
【００５１】
本実施形態によれば、第１の保持部７１が、比較的太い第１の外径Ｒ１を有する第１の電線４ａを保持可能であり。第２の保持部７２が、比較的細い第２の外径Ｒ２を有する第２の電線４ｂを保持可能である。このため、圧接プレート６０は、互いに外径Ｒ１，Ｒ２の異なる複数種の電線４ａ，４ｂを確実に保持できる。
【００５２】
また、第１狭持部７１ａ，７１ｂ間の間隔Ｄ１が、第１の外径Ｒ１より若干小さいので、第１の保持部７１は、第１の電線４ａを狭持して電線収容溝６１内から抜け出ることを確実に防止できる。さらに、第２狭持部７２ａ，７２ｂ間の間隔Ｄ２が、第２の外径Ｒ２より若干小さいので、第２の保持部７２は、第２の電線４ｂを狭持して電線収容溝６１内から抜け出ることを確実に防止できる。
【００５３】
また、電線保持部７０が、電線収容溝６１の一端部６１ｂに設けられ、第１の保持部７１と第２の保持部７２とが収容する電線４，４ａ，４ｂに沿って並設されている。このため、電線保持部７０を、電線収容溝６１の極めて近傍に配置することとなるので、プレート本体６２の大型化を防止できる。したがって、圧接プレート６０自体の大型化を抑制できる。
【００５４】
【発明の効果】
以上説明したように本発明は、電線保持部が、第１の外径を有する第１の電線と、第２の外径を有する第２の電線と、の双方を保持可能である。このため、プレート状絶縁体は、互いに外径の異なる複数種の電線を確実に保持できる。また、電線保持部が、電線収容溝の一端部に設けられているので、プレート状絶縁体の大型化を抑制できる。
【００５５】
本発明によれば、第１の保持部と第２の保持部とが、それぞれ、電線に交差する方向に沿って相対しかつ互いの間に第１及び第２の電線を狭持する第１狭持片と第２狭持片とを備えている。このため、第１の保持部と第２の保持部とは、それぞれ、第１の電線と第２の電線と、を確実に保持できる。したがって、プレート状絶縁体は、大型化を抑制できることにくわえ、互いに外径の異なる複数種の電線を確実に保持できる。
【００５６】
本発明によれば、互いに外径の異なる複数種の電線を確実に保持できることにくわえ、第１の保持部と第２の保持部とが電線に沿って並設されているので大型化を抑制できる。
【図面の簡単な説明】
【図１】本発明の一実施形態にかかる圧接プレートなどを示す斜視図である。
【図２】図１に示された圧接プレートが互いに間隔を存して重ねられた状態を示す斜視図である。
【図３】図１に示された圧接プレートが互いに固定されて得られた積層プレートコネクタを示す斜視図である。
【図４】図３に示された積層プレートコネクタのＪＢ用圧接端子を示す斜視図である。
【図５】図３に示された積層プレートコネクタの接続バーを示す斜視図である。
【図６】図１に示された圧接プレートの電線保持部を拡大して示す平面図である。
【図７】図６に示された電線保持部に第１の電線が保持された状態を示す平面図である。
【図８】図７中のＶＩＩＩ−ＶＩＩＩ線に沿う断面図である。
【図９】図６に示された電線保持部に第２の電線が保持された状態を示す平面図である。
【図１０】図９中のＸ−Ｘ線に沿う断面図である。
【符号の説明】
４  電線
４ａ  第１の電線
４ｂ  第２の電線
５０  ＪＢ用圧接端子（圧接端子）
５１  電線接続部
５２  電気接触部
６０  圧接プレート（プレート状絶縁体）
６１  電線収容溝
６１ｂ  一端部
７０  電線保持部
７１  第１の保持部
７１ａ，７１ｂ  第１狭持片
７２  第２の保持部
７２ａ，７２ｂ  第２狭持片
Ｒ１  第１の外径
Ｒ２  第２の外径
Ｄ１  第１狭持片相互間の間隔
Ｄ２  第２狭持片相互間の間隔
【図１】
0003921042.tif 000002
【図２】
0003921042.tif 000003
【図３】
0003921042.tif 000004
【図４】
0003921042.tif 000005
【図５】
0003921042.tif 000006
【図６】
0003921042.tif 000007
【図７】
0003921042.tif 000008
【図８】
0003921042.tif 000009
【図９】
0003921042.tif 000010
【図１０】
0003921042.tif 000011